(57)【特許請求の範囲】
【請求項１】
テーブルの下側に筒形の回転軸を設け、前記回転軸をベースに支持し、前記回転軸の内側に分配筒を挿入し、前記分配筒を前記ベースに上方からボルト締めし、前記分配筒の内側に前記分配軸を挿入し、前記分配軸をテーブルに設け、前記分配筒及び前記分配軸にロータリジョイントを構成する流体通路を設け、前記テーブルに前記分配筒を上方へ取り出す開口部を形成し、前記分配軸の上部に前記テーブルの開口部を閉じる閉鎖部を設け、前記閉鎖部を前記テーブルに上方からボルト締めした、
ことを特徴とするインデックステーブル。
【請求項２】
テーブルの下側に筒形の回転軸を設け、前記回転軸をベースに支持し、前記回転軸の内側に分配筒を挿入し、前記分配筒を前記テーブルに上方からボルト締めし、前記分配筒の内側に前記分配軸を挿入し、前記分配軸をベースに設け、前記分配筒及び前記分配軸にロータリジョイントを構成する流体通路を設け、前記テーブルに前記分配筒を上方へ取り出す開口部を形成し、前記分配筒の上部に前記テーブルの開口部を閉じる閉鎖部を設け、前記閉鎖部を前記テーブルに上方からボルト締めした、
ことを特徴とするインデックステーブル。
【請求項３】
前記ベースの底部に開口部を設け、前記開口部を閉塞部材で塞ぎ、前記閉塞部材に前記回転軸、前記分配筒及び前記分配軸の下端を支持した請求項１または２記載のインデックステーブル。
【発明の詳細な説明】
【０００１】
【発明の属する技術分野】
本発明は、工作機械等で用いられるインデックステーブルに関するものである。
【０００２】
【従来の技術】
従来の工作機械用インデックステーブルとして、特許第２９３０８８９号公報及び実公平６−３９８６４号公報に開示された技術が知られている。前者のインデックステーブルは、図３に示すように、テーブル５６の下側に筒形の回転軸５０を一体形成し、回転軸５０の内側に分配筒５２を下側から挿入してボルト５３でベース５１に組み付け、分配筒５２の内側に分配軸５４を挿入し、その上端をボルト５５でテーブル５６に組み付け、分配筒５２及び分配軸５４に設けた流体通路５７，５８によりロータリジョイントを構成している。
【０００３】
また、後者のインデックステーブルは、図４に示すように、ベース６１に分配軸６２を下側から挿入してボルト６３で組み付け、分配軸６２の外側に分配筒６４を挿入し、その上端をボルト６５でテーブル６６の下面に組み付け、分配筒６４を回転軸として機能させ、分配筒６４及び分配軸６２に設けた流体通路６７，６８によりロータリジョイントを構成している。
【０００４】
【発明が解決しようとする課題】
ところが、前者のインデックステーブルによると、分配筒５２がベース５１に下側から挿入されているため、分配筒５２のＯリング５９の交換等に際し、ベース５１を工作機械テーブルから取り外す面倒があり、ロータリジョイントのメンテナンスに手間がかかる問題点があった。
【０００５】
また、後者のインデックステーブルによると、分配筒６４がテーブル６６の下面に組み付けられているため、分配筒６４のＯリング６９の交換等に際し、テーブル６６をベース６１から取り外す必要があり、この場合も、ロータリジョイントのメンテナンスに手間がかかる問題点があった。
【０００６】
そこで、本発明の課題は、ベース及びテーブルを組み付けたままの状態で、ロータリジョイントのメンテナンスを短時間で容易に行うことができるインデックステーブルを提供することにある。
【０００７】
【課題を解決するための手段】
上記の課題を解決するために、本発明のインデックステーブルは、テーブルの下側に筒形の回転軸を設け、前記回転軸をベースに支持し、前記回転軸の内側に分配筒を挿入し、前記分配筒を前記ベースに上方からボルト締めし、前記分配筒の内側に前記分配軸を挿入し、前記分配軸をテーブルに設け、前記分配筒及び前記分配軸にロータリジョイントを構成する流体通路を設け、前記テーブルに前記分配筒を上方へ取り出す開口部を形成し、前記分配軸の上部に前記テーブルの開口部を閉じる閉鎖部を設け、前記閉鎖部を前記テーブルに上方からボルト締めしたことを特徴とする。
また、本発明のインデックステーブルは、テーブルの下側に筒形の回転軸を設け、前記回転軸をベースに支持し、前記回転軸の内側に分配筒を挿入し、前記分配筒を前記テーブルに上方からボルト締めし、前記分配筒の内側に前記分配軸を挿入し、前記分配軸をベースに設け、前記分配筒及び前記分配軸にロータリジョイントを構成する流体通路を設け、前記テーブルに前記分配筒を上方へ取り出す開口部を形成し、前記分配筒の上部に前記テーブルの開口部を閉じる閉鎖部を設け、前記閉鎖部を前記テーブルに上方からボルト締めしたことを特徴とする。
【０００８】
また、組付精度及び作業性をよくするためには、ベースの底部に開口部を設け、開口部を閉塞部材で塞ぎ、閉塞部材に回転軸、分配筒及び分配軸の下端を支持するのが好ましい。
【０００９】
【発明の実施の形態】
以下、本発明の実施の形態を図面に基づいて説明する。図１は本発明を工作機械用インデックステーブルに具体化した第一実施形態を示すものである。インデックステーブルのベース１には、これを工作機械テーブル（図示略）に取り付けるボルト２が設けられるとともに、空洞部３、上面開口部４及び下面開口部５が形成されている。空洞部３にはモータ（図示略）により駆動されるウオーム６が配設され、上面開口部４には上部軸受７が装着されている。下面開口部５はベース１の底部に設けられ、閉塞部材８で塞がれている。閉塞部材８はボルト９でベース１に組み付けられ、この部材８に下部軸受１０が装着されている。
【００１０】
ベース１の中心部には筒形の回転軸１２が上方から挿入され、上部軸受７及び下部軸受１０により垂直軸線の周りで回転可能に支持されている。回転軸１２の上端には工作物や治具を載せるテーブル１３がボルト１４で組み付けられ、テーブル１３の中心部には後述の分配筒１８を上方へ取り出す開口部１５が形成されている。また、回転軸１２の外周にはウオーム６に噛み合うウオームホイール１６が挿着され、前記モータにより回転軸１２及びテーブル１３が一体に回転するようになっている。なお、回転軸１２を図３に示すようにテーブル１３の下側に一体的に設けてもよい。
【００１１】
回転軸１２の内側には分配筒１８が相対回転可能に挿入されている。分配筒１８には通しボルト１９が上方から貫通され、通しボルト１９により分配筒１８の下端が閉塞部材８に締め付けられている。分配筒１８の内側には分配軸２０が相対回転可能に挿入され、その下端は軸受２１を介し閉塞部材８に支持されている。分配軸２０の上端には閉鎖部２２が一体形成され、この閉鎖部２２によりテーブル１３の開口部１５が閉鎖されている。そして、閉鎖部２２はテーブル１３に上方からボルト２３で締め付けられ、分配軸２０がテーブル１３と一体に回転するようになっている。
【００１２】
分配筒１８には複数の縦孔２５と内周溝２６とが形成され、各縦孔２５の下端は閉塞部材８の通路２７及びベース１の通路２８を介し入口２９に接続され、また、隣接する内周溝２６はＯリング３０でシールされている。分配軸２０には内周溝２６に連通する複数の縦孔３１が形成され、その上端には出口３２が設けられている。そして、分配筒１８及び分配軸２０の流体通路（２５，２６，３１）によってロータリジョイントが構成され、エア及び油を固定部であるベース１側から回転部であるテーブル１３側に供給できるようになっている。なお、閉塞部材８にはリーク油を排出するドレン孔３３が設けられ、ベース１の上面にはテーブル１３に静圧を作用させる油溜り３４が形成されている。
【００１３】
上記のように構成されたインデックステーブルにおいて、分配筒１８のＯリング３０を交換するなど、ロータリジョイントのメンテナンスを行う際には、まず、ボルト２３を外し、分配軸２０を上方へ抜き取り、テーブル１３の開口部１５を開放する。次に、通しボルト１９を外し、分配筒１８を開口部１５を通して上方へ取り出す。こうすれば、ベース１及びテーブル１３を組み付けたままの状態で、分配軸２０及び分配筒１８を楽に取り外すことができ、ロータリジョイントのメンテナンスを短時間で容易に行うことができる。
【００１４】
また、この実施形態のインデックステーブルによれば、回転軸１２、分配筒１８及び分配軸２０の下端がベース１と別体の閉塞部材８に支持されているので、ベース１の内面を容易に加工できるとともに、ベース１に対し回転軸１２、分配筒１８及び分配軸２０を精度よく簡単に組み付けることができる。
【００１５】
図２は本発明を工作機械用インデックステーブルに具体化した第二実施形態を示すものであり、図１と同一の符号は第一実施形態のインデックステーブルと同一又は相当する部材を示すものである。このインデックステーブルにおいては、第一実施形態とは逆に、分配筒１８がテーブル１３に組み付けられ、分配軸２０が閉塞部材８に組み付けられている。
【００１６】
すなわち、分配筒１８は回転軸１２の内側に挿入され、分配筒１８の上端にテーブル１３の開口部１５を閉じる閉鎖部２２が一体形成され、閉鎖部２２はボルト２３でテーブル１３に上方から締め付けられている。分配軸２０は分配筒１８の内側に相対回転可能に挿入され、通しボルト１９で閉塞部材８に上方から締め付けられている。なお、この実施形態では、流体の出口３２が分配筒１８側の縦孔２５の上端に設けられている。また、図示例とは異なり、分配軸２０を閉塞部材８と一体に形成してもよい。
【００１７】
上記構成によれば、分配筒１８がテーブル１３に組み付けられているので、ボルト２３を外せば、分配筒１８を単独で上方へ取り出すことができる。その後、必要に応じ、通しボルト１９を外して、分配軸２０を抜き取ることも容易である。従って、この実施形態によっても、ベース１及びテーブル１３を組み付けたままの状態で、ロータリジョイントのメンテナンスを迅速に行うことができる。
【００１８】
なお、本発明は上記実施形態に限定されるものではなく、例えば、流体の入口２９を閉塞部材８の下面に開設したり、流体の出口３２をテーブル１３の上面に開設したりするなど、本発明の趣旨を逸脱しない範囲で各部の形状並びに構成を適宜に変更して実施することも可能である。
【００１９】
【発明の効果】
以上詳述したように、本発明のインデックステーブルによれば、テーブルの下側に筒形の回転軸を設け、回転軸をベースに支持し、回転軸の内側に分配筒を挿入し、分配筒をベースとテーブルの一方に上方からボルト締めし、分配筒の内側に分配軸を挿入し、分配軸をベースとテーブルの他方に設け、分配筒及び分配軸にロータリジョイントを構成する流体通路を設け、テーブルに分配筒を上方へ取り出す開口部を形成したので、ベース及びテーブルを組み付けたままの状態で、分配軸を上方へ抜き取って、ロータリジョイントのメンテナンスを短時間で容易に行うことができるという優れた効果を奏する。また、本発明によれば、分配筒をベースに上方からボルト締めし、分配軸の上部にテーブルの開口部を閉じる閉鎖部を設け、閉鎖部をテーブルに上方からボルト締めしたり、分配軸をベースに上方からボルト締めし、分配筒の上部にテーブルの開口部を閉じる閉鎖部を設け、閉鎖部をテーブルに上方からボルト締めしているので、分配軸及び分配筒を上方へ抜き取って、ロータリジョイントのメンテナンスを容易に行うことができる。また、ベースの底部に開口部を設け、開口部を閉塞部材で塞ぎ、閉塞部材に回転軸、分配筒及び分配軸の下端を支持しているので、組付精度及び作業性を良くすることができる。
【図面の簡単な説明】
【図１】本発明の第一実施形態を示すインデックステーブルの断面図である。
【図２】本発明の第二実施形態を示すインデックステーブルの断面図である。
【図３】従来のインデックステーブルを示す断面図である。
【図４】従来の別のインデックステーブルを示す断面図である。
【符号の説明】
１・・ベース、５・・下面開口部、８・・閉塞部材、１２・・回転軸、１３・・テーブル、１５・・開口部、１８・・分配筒、１９・・通しボルト、２０・・分配軸、２２・・閉鎖部、２３・・ボルト、２５・・縦孔、２６・・内周溝、３１・・縦孔。
【図１】
0004465820.tif 000002
【図２】
0004465820.tif 000003
【図３】
0004465820.tif 000004
【図４】
0004465820.tif 000005